(57)【要約】【課題】  カメラのペンタミラーのミラー面での平面性を確保し、かつペンタミラーの移動、振動を防止したファインダ装置を提供する。【解決手段】  ミラーボックス１の上部にペンタミラー２を搭載しているカメラのファインダ装置であって、ペンタミラー２を覆ってミラーボックス１に固定される保護カバー３を備える。保護カバー３は微小な間隙寸法を保ってペンタミラー２を覆っている。ペンタミラー２はフランジ部２６を備え、保護カバー３はフランジ部２６の上面に対して微小な間隔ｄ１，ｄ２で対峙される押さえ片３３が設けられる。保護カバー３でペンタミラー２を支持したときにペンタミラー２の移動を制限する一方で、ミラーボックス１や保護カバー３に生じる応力がペンタミラー２に伝わることが抑制されミラーの平面性が保持される。【選択図】  図４
2006337783.tif 000002
【特許請求の範囲】
【請求項１】
カメラ本体の上部にペンタミラーを搭載しているカメラのファインダ装置であって、前記ペンタミラーを覆って前記カメラ本体に固定される保護カバーを備え、前記保護カバーは微小間隔を保って前記ペンタミラーを覆っていることを特徴とするカメラのファインダ装置。
【請求項２】
前記ペンタミラーの少なくともダハ面の外面と前記保護カバーとの間に第１の微小間隔が確保されていることを特徴とする請求項１に記載のカメラのファインダ装置。
【請求項３】
前記ペンタミラーには外方に突出されたフランジ部が設けられ、前記保護カバーには前記フランジ部の上面に対して第２の微小間隔で対峙される押さえ片が設けられることを特徴とする請求項１又は２に記載のカメラのファインダ装置。
【請求項４】
前記第２の微小間隔は前記保護カバーの公差よりも小さい寸法であることを特徴とする請求項３に記載のカメラのファインダ装置。
【請求項５】
前記フランジ部は下面において前記カメラ本体の上面に当接され、前記押さえ片は前記保護カバーから下方に向けて突出されていることを特徴とする請求項３又は４に記載のカメラのファインダ装置。
【請求項６】
前記ペンタミラーは樹脂により形成されていることを特徴とする請求項１ないし５のいずれかに記載のカメラのファインダ装置。
【請求項７】
前記カメラ本体は一眼レフカメラのミラーボックスを備え、前記ペンタミラー及び保護カバーは当該ミラーボックス上に設けられていることを特徴とする請求項１ないし６のいずれかに記載のカメラのファインダ装置。
【発明の詳細な説明】
【技術分野】
【０００１】
本発明は一眼レフカメラのようにファインダ光学系内に被写体像を正立像に変換するためのペンタミラーを備えるカメラのファインダ装置に関するものである。
【背景技術】
【０００２】
一眼レフカメラはシャッターが開いた時には撮影レンズで結像した被写体像を銀塩フィルムに露光し、あるいはＣＣＤやＣＭＯＳ等の撮像素子で撮像するが、シャッターが閉じているときには当該被写体像をメインミラーにより反射してピントガラスに結像し、当該結像した被写体像をファインダ装置で拡大して撮影者が観察するようになっている。このファインダ装置では、ピントガラスに結像された被写体像を正立像とし、この正立像を接眼光学系によって拡大して撮影者が観察することを可能にするためのペンタプリズムやペンタミラーが設けられる。特に近年では、カメラの軽量化、低コスト化を実現するためにガラスを加工、研磨したペンタプリズムよりも、ペンタプリズムの外形と同じルーフ形状に成型し、内面にアルミニウム等を蒸着して鏡面（ミラー面）処理したペンタミラーを用いたものが提供されている。
【０００３】
このようなペンタミラーを備えたカメラでは、従来はペンタミラーを一眼レフカメラのミラーボックスに接着剤やビス等により一体的に固定することが考えられていたが、ペンタミラーをミラーボックスに一体化してしまうとミラーボックスに加えられる外力がペンタミラーに伝えられたときにペンタミラーを構成している薄い樹脂材が変形されてミラー面、特にダハ面の平面性が損なわれ、ファインダ画面の見え品質が低下してしまう。このような問題に対し、特許文献１ではペンタミラーのダハ面で反射した光を接眼光学系に向けて反射させるための第３反射面のみをガラスミラーで構成する技術が提案されている。また、特許文献２では、ダハ面及び第３反射面を全て樹脂により形成する一方で、ペンタミラーをバネ手段によりミラーボックス（カメラ本体）に支持する構成が提案されている。ペンタミラーをバネ手段で支持することでミラーボックスの変形をバネ手段で吸収し、ペンタミラーに伝達してミラー面での変形を防止する上で有効である。
【特許文献１】特開平７−１５９８５９号公報
【特許文献２】特開２００３−１６１９９９号公報
【発明の開示】
【発明が解決しようとする課題】
【０００４】
特許文献１の技術は第３反射面をダハ面とは別のガラス部材で構成しているためペンタミラーの強度を高める上では有効であるが、ペンタミラーを採用している本来の目的である軽量化、低コスト化を図る上での障害になる。特許文献２の技術はペンタミラーの軽量化、低コスト化を図る上では有効であるが、バネ手段のバネ力の調整が困難であり、バネ力が大きいとペンタミラーに応力を発生させてダハ面等のミラー面での平面性が損なわれ、バネ力が小さいとペンタミラーの支持力が低下してペンタミラーがバネ手段の弾性変形に伴って移動してしまうおそれがある。特に、カメラに生じる振動等によってペンタミラーがミラーボックス上で水平方向に移動し、あるいはミラーボックス上で上下方向に移動する等して振動すると、いずれの場合でもファインダ画面で観察する被写体像が上下あるいは左右に振動した状態となり、ファインダ像の見え品質が劣化する。
【０００５】
本発明の目的は、ペンタミラーの軽量化、低コスト化を図る一方で、ペンタミラーにおけるミラー面での平面性を確保し、かつペンタミラーの移動、振動を防止したファインダ装置を提供するものである。
【課題を解決するための手段】
【０００６】
本発明は、一眼レフカメラのミラーボックス等のようなカメラ本体の上部にペンタミラーを搭載しているカメラのファインダ装置であって、ペンタミラーを覆ってカメラ本体に固定される保護カバーを備えており、当該保護カバーは微小間隔を保ってペンタミラーを覆っていることを特徴とする。すなわち、ペンタミラーの少なくともダハ面の外面と保護カバーとの間に第１の微小間隔が確保される。また、ペンタミラーには外方に突出されたフランジ部が設けられ、保護カバーにはフランジ部の上面に対して第２の微小間隔で対峙される押さえ片が設けられる。
【０００７】
ここで、第２の微小間隔の寸法は保護カバーの公差よりも小さい寸法とする。また、フランジ部は下面においてカメラ本体の上面に当接され、押さえ片は保護カバーから下方に向けて突出される。本発明にかかるペンタミラーは樹脂により形成されている場合に有効である。また、カメラ本体は例えば一眼レフカメラのミラーボックスを備え、ペンタミラー及び保護カバーは当該ミラーボックス上に設けられる。
【発明の効果】
【０００８】
本発明によれば、ペンタミラーはカメラ本体上において保護カバーにより覆われているため、外力は保護カバーで阻止され、当該外力がミラー面に作用することはなく、ミラー面が変形されて平面性が損なわれることはない。また、保護カバーの内面とペンタミラーの外面との間に第１及び第２の微小間隔が存在するので、保護カバーをカメラ本体にビス等により固定しても保護カバーに生じる応力がペンタミラーに伝わることもなく、ミラー面の平面性が損なわれることはない。カメラに振動が生じたときにペンタミラーがカメラ本体上で上下に振動される状態となったときには、ペンタミラーのフランジ部の上面が押さえ片の下端部に当接することにより上下の移動寸法は公差よりも小さい第２の微小間隔の寸法に制限される。これによるペンタミラーの振動が抑制され、当該振動によるファインダ画面での見え品質の低下は防止される。このときフランジ部が押さえ片の下端部に当接した場合でも、押さえ片の撓みによって両者間の当接力が吸収されるため、当接時に発生する応力がペンタミラーに伝達されてミラー面の平面性が損なわれるようなこともない。
【実施例１】
【０００９】
次に、本発明の実施例を図面を参照して説明する。図１は本発明を適用した一眼レフカメラの内部のカメラ内部構体の主要部の斜視図、図２（ａ），（ｂ）は平面図と正面図、図３は図２（ｂ）のＡ−Ａ線断面図、図４は要部を分解した斜視図である。この実施例ではカメラ内部構体はカメラ本体の一部を構成しているミラーボックス１と、このミラーボックス１上に支持されたペンタミラー２とを備えている。また、ペンタミラー２の背後には図には表れない接眼光学系が前記ミラーボックスに支持され、ペンタミラー２と共にファインダ装置を構成するようになっている。
【００１０】
前記ミラーボックス１には主要部品としてレンズマウント１１、メインミラー１２、ピントガラス１３、ファインダ視野枠１４が組み込まれている。前記レンズマウント１１はミラーボックス１の前面に固定されており、図には表れない撮影レンズが装着可能とされる。前記メインミラー１２はミラーボックス１内で上下方向に傾動可能に支持され、上動したときに撮影レンズを通した被写体光束をミラーボックス１の背面に取着される図には表れないシャッターブロックを通してＣＣＤ素子やＣＭＯＳ素子等の撮像素子の受光面に結像する。あるいは、フィルム式一眼レフカメラの場合には図には表れない感光フィルムの感光面に結像する。また、メインミラー１２が下動位置にあるときには撮影レンズを通した被写体光束を上方に向けて反射し、ミラーボックス１の上部に水平に保持されたピントガラス１３に被写体像を結像する。
【００１１】
前記ペンタミラー２は、図４及び図５に示すように樹脂成型により三角ルーフ状に形成されており、その内面にアルミニウム等を蒸着する等の鏡面処理を施してミラー面として形成したものである。図４ではペンタミラー２を斜め上方から見た状態を示し、図５では斜め下方から見た状態を示している。前記ペンタミラー２は、ここでは左右の傾斜したダハ面２１を垂直に向けられた左右の側壁２２と図には表れない接眼光学系に対向される後壁２３とを一体化して下部を開口した三角ルーフ型に樹脂成型し、少なくともダハ面２１の内面をダハミラーとして形成している。なお、実際には鏡面処理によって各壁２２，２３の内面もミラーとして形成される。また、別部材の樹脂板で形成されて内面をミラーとし、前記ダハミラー２１の前側に粘着テープ２５により貼着された第３ミラー２４を有している。この第３ミラーは特許文献１のようにガラス製であってもよい。
【００１２】
また、前記ペンタミラー２の左右の側壁２２の下縁にはそれぞれ外側に向けて突出した微小な矩形のフランジ部２６が一体に形成されている。この実施例ではカメラ背面側から見て、左右の各側壁２２の下縁の前側と後側のそれぞれの箇所に合計で４個のフランジ部２６が形成されている。また、一部のフランジ部、ここでは前側の２つのフランジ部２６の下面には円柱状のボス２７が下方に向けて突出されており、これらのボス２７はペンタミラー２をミラーボックス１の上部に載置したときに、当該ミラーボックス１の上部に凹設された位置決め穴１ａ（図８参照）に落とし込むように嵌合され、この嵌合によりミラーボックス１に対するペンタミラー２の平面方向の位置決めが行われる。
【００１３】
このペンタミラー２はミラーボックス１上に搭載されたときに、下部の開口が前記ミラーボックス１に配設されたピントガラス１３及びファインダ枠１４を覆う状態とされ、同時に左右の側壁２２の各下縁はミラーボッスク１の上面に接した状態とされる。また、前記ペンタミラー２はミラーボックス１の上に載置された上で、図１ないし図４に示した保護カバー３により外面が保護される。前記保護カバー３は金属板を加工したものであり、図６にペンタミラー２と保護カバー３の相対位置関係を示すように、前記ダハミラー２１に対面するような三角ルーフ部３１を有し、この三角ルーフ部３１の両側の裾縁には外側に向けて突出された固定片３２が一体形成されている。この実施例ではカメラ背面側から見て保護カバー３の左側裾縁には前後位置に２つの固定片３２が形成され、右側裾縁には１つの固定片３２が形成されている。各固定片３２はビス３４によってミラーボックス１の上部に固定される。このとき、図３に示すように、保護カバー３の内面はペンタミラー２の外面、特にダハミラー面２１の外面に対して第１の微小な間隔寸法ｄ１で対面するようになっており、この第１の微小間隔の寸法ｄ１は各部において若干違いがあるが、最小の間隔寸法は保護カバー３における公差ないしはそれよりも若干大きい寸法に設定されている。
【００１４】
また、前記保護カバー３の両裾縁には下方に向けて突出された細片状をした押さえ片３３が一体に形成されている。この実施例では前記ペンタミラー２に設けられた４つのフランジ部２６のうちの３つのフランジ部に対応する位置に形成されており、前記左裾縁には２つの押さえ片３３が、右裾縁には１つの押さえ片３３がそれぞれ設けられており、これら押さえ片３３は前記固定片３２の内側の一部、あるいは裾縁の一部を下方に折り曲げた構成とされている。これらの押さえ片３３は、図７に一部を破断した側面図を示すように、保護カバー３がミラーボックス１の上部に固定片３３においてビス３４により固定されたときに、各押さえ片３３の下端部はペンタミラー２の各フランジ部２６の上面に対して上方から第２の微小間隔の寸法ｄ２で対峙される。図８はこれらフランジ部２６と押さえ片３３の構成を示す図７の一部の拡大図であり、フランジ部２６の上面と押さえ片３３の下端部の第２の微小間隔の寸法ｄ２は前述の保護カバー３の内面とペンタミラー２の外面との間の第１の微小間隔の寸法ｄ１よりも若干小さく、保護カバー３の公差の寸法よりも小さくされている。
【００１５】
以上の構成のカメラ内部構体を備える一眼レフカメラでは、前述したように撮影レンズによってピントガラス１３に結像した被写体像の光束を下部の開口からペンタミラー２の内部に導き、左右の傾斜したダハミラー２１で反射し、さらにその反射光を前側の第３ミラー２４で反射して正立像に変換し、後壁２３の開口から接眼光学系に導いた上で当該接眼光学系によって拡大し、撮影者の視度に合わせた光軸上の位置に結像させる。
【００１６】
ミラーボックス１の上部に載置されている状態にあるペンタミラー２は保護カバー３により上部領域、特にダハミラー２１の領域が覆われているため、ペンタミラー２に加えられようとする外力は保護カバー３の剛性によって保護カバー３が変形されないため、当該変形に伴って外力がペンタミラー２に伝えられることが阻止され、当該外力がペンタミラー２の特にダハミラー２１に作用することはなく、薄い樹脂板で構成されているダハミラー２１が変形されてミラーの平面性が損なわれることはない。また、保護カバー３の内面とダハミラー２１の外面との間に第１の微小間隔ｄ１が設けられているので、保護カバー３をビス３４でミラーボックス１の上部に固定したときの締結力によって保護カバー３に生じる内部応力がペンタミラー２に伝わることもなく、この応力によってペンタミラー２のミラーの平面性が損なわれることはない。
【００１７】
一方、カメラに振動が生じたときにペンタミラー２がミラーボックス１の上部で平面方向に移動される状態となっても、ボス２７がミラーボックス１の位置決め穴に嵌入されていることでペンタミラー２が水平方向に移動されることはない。また、当該振動によってペンタミラー２が上下に振動される状態となったときには、ペンタミラー２のフランジ部２６の上面が保護カバー３の押さえ片３３の下端部に当接することにより上下方向に移動する量（寸法）は公差よりも小さい寸法である第２の微小間隔ｄ２の寸法内に制限される。これによりペンタミラー２の振動が抑制され、当該振動によるファインダ画面での見え品質の低下は防止される。また、このときにもペンタミラー２の外面が保護カバー３の内面に接触されることはなく、相互の干渉によってミラーの平面性が損なわれることはない。また、ペンタミラー２が移動してフランジ部２６が押さえ片３３の下端部に当接した場合でも、押さえ片３３の板厚方向の撓みによって両者間の当接力が吸収されるため、当接時に発生する応力がペンタミラー２に伝達されることもなく、ミラーの平面性が損なわれるようなこともない。
【００１８】
ここで、図示は省略するがペンタミラー２をミラーボックス１の上部に載置する際に、ミラーボッスク１の上面の複数箇所に少量の接着剤をポッティングし、その上にペンタミラー２を載置してミラーボックス１に接着するようにしてもよい。少量の接着剤を公差よりも薄くして接着を行うことでミラーボックス１に対してペンタミラー２が上下に振動することを抑制することができる。その一方で接着剤は少量で数箇所での接着であるためペンタミラー２がミラーボックス１に対して完全に一体化されることはなく、ミラーボックス１の応力がそのままペンタミラー２に伝わることもない。また、接着剤の厚さを薄くすれば、押さえ片３３とフランジ部２６が直接接触することはなく、保護カバー３の応力がペンタミラー２に伝わることもなく、ダハミラーの平面性が損なわれることもない。
【００１９】
また、図２及び図３に示すように、ペンタミラー２のダハ面２１の外面と保護カバー３の内面との間にモルトプレン等の緩衝部材３５を介在させてもよい。この緩衝部材３５での力吸収作用によって保護カバー３に加えられた外力や保護カバー３の内部応力を吸収し、ペンタミラー２に外力や応力が伝達されることをより効果的に防止することができる。
【００２０】
また、図８に鎖線で示すように、押さえ片３３の下端部とフランジ部２６とが対峙された第２の微小間隔ｄ２内にポッティング等によって供給した柔軟な接着剤３６を介在させてもよい。この柔軟な接着剤３６によってペンタミラー２が上下に振動する際に押さえ片３３とフランジ部２６との間に生じる当接力を吸収し、かつペンタミラー２の振動を減衰するとともに、押さえ片３３とフランジ部２６との間の第２の微小間隔ｄ２による応力の伝達の防止効果とあいまって保護カバー３からペンタミラー２に応力が伝わることが抑制される。
【００２１】
実施例では、ペンタミラー２に設けたフランジ部２６を複数箇所に部分的に形成しているが、ペンタミラー２の左右の側壁２２の下縁の全長に沿ってフランジ部を形成するようにしてもよい。この場合には保護カバー３の任意の箇所に押さえ片３３を形成することができ、保護カバー３の設計、製造の自由度を高めることができる。
【００２２】
本発明はペンタミラーを備えるカメラであれば、デジタル一眼レフカメラあるいは銀塩フィルムを用いる一眼レフカメラのいずれにおいても同様に適用できる。また、ペンタミラーは実施例のように第３ミラーを別体に形成したものではなく、第３ミラーとダハミラーとを一体に樹脂成型したペンタミラーであってもよい。
【図面の簡単な説明】
【００２３】
【図１】本発明を適用した一眼レフカメラの内部構体の正面図である。
【図２】内部構体の平面図と正面図である。
【図３】図２（ｂ）のＡ−Ａ線断面図である。
【図４】カメラ内部構体の主要部の部分分解斜視図である。
【図５】ペンタミラーを斜め下方から見た斜視図である。
【図６】ペンタミラーと保護カバーとの相対構成を示す斜視図である。
【図７】ペンタミラーと保護カバーの固定構造を示す側面図である。
【図８】図７の一部の拡大図である。
【符号の説明】
【００２４】
１  ミラーボックス
２  ペンタミラー
３  保護カバー
１１  レンズマウント
１２  メインミラー
１３  ピントガラス
１４  ファインダ枠
２１  ダハミラー
２４  第３ミラー
２６  フランジ部
３１  三角ルーフ部
３２  固定片
３３  押さえ片
３４  ビス
ｄ１  保護カバーとペンタミラーとの第１の微小間隔
ｄ２  押さえ片とフランジ部との第２の微小間隔
【図１】
2006337783.tif 000003
【図２】
2006337783.tif 000004
【図３】
2006337783.tif 000005
【図４】
2006337783.tif 000006
【図５】
2006337783.tif 000007
【図６】
2006337783.tif 000008
【図７】
2006337783.tif 000009
【図８】
2006337783.tif 000010